(57)【要約】  シェービングカートリッジは、長手方向軸に沿って延在するハウジングを含む。ハウジングは、上側と、上側と反対側の底部側と、少なくとも１つの長手方向壁と、第１および第２の側壁とを有する。シェービングカートリッジはまた、少なくとも１つのシェービングブレードとカスタマイズツールとを含む。カスタマイズツールはハウジングと結合されている。カスタマイズツールは、ハウジングの少なくとも１つの長手方向壁の外側に延びる上面を含む。カスタマイズツールは、上面から角度をなして延びる側面を含み、ハウジングの長手方向壁と第１および第２の側壁の外側端部に近接している。カスタマイズツールは、少なくとも一つの長手方向壁から延びまたは側壁の少なくとも一方に取り付けられている。【選択図】図１
2020511186.tif 000002
【特許請求の範囲】
【請求項１】
長手方向軸に沿って延びるハウジングであって、
上側と、
前記上側と反対側の底部側と、
少なくとも一つの長手方向壁と、
前記第一の長手方向壁から延びる第一および第二の側壁と、を備えるハウジングと、
少なくとも１つのシェービングブレードと、を備えるシェービングカートリッジであって、
カスタマイズツールが、前記ハウジングと取り外し可能に連結され、前記カスタマイズツールが、
上面と、
この上面から角度をなして延びる側面と、を備え、前記カスタマイズツールが、前記少なくとも１つの長手方向壁から延びるか、または前記側壁の少なくとも１つに取り付けられていることを特徴とする、シェービングカートリッジ。
【請求項２】
前記カスタマイズツールが、前記少なくとも１つの長手方向壁の前記底部側に近接する下面をさらに含む、請求項１に記載のシェービングカートリッジ。
【請求項３】
前記下面が、前記少なくとも１つの長手方向壁の前記底部側の凹部と対応する少なくとも１つの突起を含んで、前記カスタマイズツールを前記ハウジングと結合する、請求項１または２のいずれかに記載のシェービングカートリッジ。
【請求項４】
前記上面および前記側面の少なくとも１つが、リブ、フィン、フィラメント、潤滑コーティング、および／または突起を含む構成を有する、請求項１から３のいずれかに記載のシェービングカートリッジ。
【請求項５】
前記下面が、リブ、フィン、フィラメント、潤滑コーティング、および／または突起を含む構成を有する、請求項１から４のいずれかに記載のシェービングカートリッジ。
【請求項６】
前記カスタマイズツールが、スナップフィット機構、フック機構、圧入機構、ツイスト機構、およびねじ機構のうちの少なくとも１つによって前記ハウジングに連結されている、請求項１から５のいずれかに記載のシェービングカートリッジ。
【請求項７】
前記カスタマイズツールの前記上面が、前記少なくとも１つの長手方向壁の前記上面の凹部に対応する少なくとも１つの突起を含んで、前記カスタマイズツールを前記ハウジングに連結する、請求項１から６のいずれかに記載のシェービングカートリッジ。
【請求項８】
前記カスタマイズツールの前記上面の幅が、約３ミリメートルから約６ミリメートルの範囲であり、
前記カスタマイズツールの前記側面の幅が、約０．５ミリメートルから約７ミリメートルの範囲である、請求項１から７のいずれかに記載のシェービングカートリッジ。
【請求項９】
前記ハウジングと取り外し可能に連結されているガードバーをさらに含み、
前記カスタマイズツールが、前記ガードバーと交換可能である、請求項１から８のいずれかに記載のシェービングカートリッジ。
【請求項１０】
前記上面及び前記側面は、パターンなしで均質である、請求項１から９のいずれかに記載のシェービングカートリッジ。
【請求項１１】
前記カスタマイズツールの前記上面が潤滑部分を含む、請求項１から１０のいずれかに記載のシェービングカートリッジ。
【請求項１２】
前記カスタマイズツールの前記側面が、多孔質材料を有する、請求項１から１１のいずれかに記載のシェービングカートリッジ。
【請求項１３】
前記カスタマイズツールの少なくとも一部が、金属、プラスチック、ゴム、木材、紙、およびガラスの少なくとも一つでできている、請求項１から１２のいずれかに記載のシェービングカートリッジ。
【請求項１４】
ハンドルに前記シェービングカートリッジを連結するように構成される連結部をさらに備える、請求項１から１３のいずれかに記載のシェービングカートリッジ。
【発明の詳細な説明】
【技術分野】
【０００１】
以下の説明はシェービングカミソリに関する。シェービングカミソリは、キャップ、シェービングブレード、およびカスタマイズツールを含む１つまたは複数の構成要素を有するカートリッジを含み得る。例えば、シェービングカミソリは、ガードバーの代わりに設けられ、カートリッジの接触面を延ばすカスタマイズツールを有するヘッドを含み得る。
【背景技術】
【０００２】
シェービングカミソリは、シェービングブレード、潤滑手段、ガードバー、カバー、およびトリミングブレードなどの構成要素を含むカートリッジを含む。カートリッジは皮膚接触のための大きな設置面積を提供できない。したがって、剃毛中の皮膚は十分に伸張されず、各剃毛ストローク中にカートリッジおよびシェービングブレードと接触する皮膚および髪が少なくなる。さらに、ガードバーは、皮膚を伸ばすのを助けるために提供されるフィンまたは突起を含み得るが、カートリッジは皮膚に沿って十分に滑動しない。
【０００３】
さらに、従来のシェービングカミソリでは、ガードバーをカートリッジにしっかりと取り付けることが一般的なやり方であり、したがって、ユーザが自分の要望およびニーズに合わせてカスタマイズ可能な解決策をガードバー領域上で選択する可能性を排除する
【発明の概要】
【０００４】
本発明の概念は、従来のシェービングカートリッジの前述の欠点を克服するシェービングカートリッジを提供する。本発明概念のシェービングカートリッジは、一般に、ハウジング、少なくとも１つのシェービングブレード、およびカスタマイズツールを含む。シェービングカートリッジは、少なくともさらなるシェービングブレード、キャップ、少なくとも１つの保持手段、任意の種類のストリップを含み得る少なくとも１つの潤滑手段または低摩擦効果をもたらす潤滑手段を含み得る少なくとも１つの構成要素をさらに含み得る。カスタマイズツールは、ハウジングと連結され、ハウジングから延びることができる。カスタマイズツールは、カートリッジの接触面を２つの方向、すなわち（ｉ）カスタマイズツールが、従来のシェービングカートリッジにおけるガードバー位置を覆う上面と、ハウジングの外側に隣接する側面とを含む、剃毛面の軸に対して平行であり、（ｉｉ）カスタマイズツールがシェービングカートリッジの外側を取り囲み、シェービングカートリッジの底面側でわずかに曲がる側面を提供する、剃毛面の軸に対して垂直な方向、に拡大することができる。ここで、剃毛面の軸は、剃毛を行うために剃刀を移動させる軸である。
【０００５】
本発明の概念の態様では、シェービングカートリッジを提供することによって上記のことを達成することができる。シェービングカートリッジは、長手方向軸に沿って延びるハウジングを含み得る。ハウジングは、上側と、上側と反対側の底部側とを有することができる。ハウジングはまた、少なくとも１つの長手方向壁（第１の長手方向壁）と第１および第２の側壁とを有してもよい。少なくとも１つの長手方向壁は、ハウジングの上側と底部側との間に延びてもよい。第１および第２の側壁はそれぞれ、少なくとも１つの長手方向壁から延在することができる。ハウジングは、第１および第２の長手方向壁と、第１および第２の側壁とを有してもよい。第１および第２の側壁は、第１および第２の長手方向壁の間に延びてもよい。カスタマイズツールをハウジングと連結することができる。カスタマイズツールは、少なくとも１つの長手方向壁から延びてもよく、または側壁の少なくとも１つに取り付けられてもよい。シェービングカートリッジは、少なくとも１つのシェービングブレードを含み得る。カスタマイズツールは、ハウジングの上側と結合されてもよく、ハウジングの上面から延びてもよい。カスタマイズツールは、実質的に剃毛面に沿って延びてもよく、ハウジングの第２の長手方向壁の外側に延びてもよい上面を含んでもよい。カスタマイズツールはまた、上面から角度をなして延びることができ、かつハウジングの第２の長手方向壁および第１および第２の側壁の外側端部に近接していてもよい側面も含み得る。他の実施形態では、カスタマイズツールは少なくとも１つの長手方向壁上に取り外し可能に結合されてもよい。
【０００６】
シェービングカートリッジは、少なくとも１つの構成要素をさらに含み得る。少なくとも１つの構成要素は、１つ、２つ、３つ、４つ、５つまたはそれ以上のシェービングブレード、キャップ、少なくとも１つの保持手段、少なくとも１つの潤滑手段、および／またはそれらの組み合わせを含むようにより多くのシェービングブレードをさらに含み得る。
【０００７】
カスタマイズツールは、少なくとも１つの長手方向壁の底部側に近接し得る下面をさらに含み得る。
【０００８】
カスタマイズツールの上面および側面の少なくとも一方は、リブ、フィン、フィラメント、潤滑コーティング、および／または突起を含む構成を有してもよい。
【０００９】
カスタマイズツールの下面は、リブ、フィン、フィラメント、潤滑コーティング、および／または突起を含む構成を有してもよい。
【００１０】
カスタマイズツールは、スナップフィット機構、フック機構、圧入機構、ツイスト機構、またはねじ機構のうちの少なくとも１つによってハウジングに結合されてもよい。
【００１１】
カスタマイズツールの上面は、カスタマイズツールをハウジングと結合する少なくとも１つの長手方向壁の上面の凹部に対応する少なくとも１つの突起を含み得る。
【００１２】
カスタマイズツールの上面の幅は、約３ｍｍから約６ｍｍの範囲内であり得る。カスタマイズツールの側面の幅は、約０．５ｍｍから約７ｍｍの範囲であり得る。
【００１３】
カスタマイズツールは、取り外し可能にハウジングと結合され得る。
【００１４】
シェービングカートリッジはさらにガードバーを含み得る。カスタマイズツールはガードバーと結合されてもよく、またはガードバーはカスタマイズツールの一部として埋め込まれてもよい。
【００１５】
カスタマイズツールの上面および側面は、模様がなく均質であり得る。
【００１６】
カスタマイズツールの上面は、潤滑部分を含み得る。
【００１７】
カスタマイズツールは、スナップフィット機構などの任意の適切な手段によってハウジングの側壁に取り付けることができる。
カスタマイズツールの上面および側面は任意の形状、例えば線、円弧、またはスプラインであり得る。
【００１８】
カスタマイズツールの側面は、多孔性材料を有するか、または多孔性材料であってもよい。
【００１９】
カスタマイズツールの少なくとも一部は、金属、プラスチック、ゴム、木材、紙、およびガラスのうちの少なくとも１つでできていてもよい。
【００２０】
シェービングカートリッジは、さらに、シェービングカートリッジをハンドルに結合するよう構成された連結部を含んでもよい。
【００２１】
第１および第２の長手方向壁はそれぞれ上側と底部側との間の長手方向軸に沿って長手方向に延びていてもよい。
【００２２】
カスタマイズツールは、ハウジングの上側から長手方向軸に対して実質的に垂直に延びることができる。
【図面の簡単な説明】
【００２３】
前述の発明の概要ならびに以下の詳細な説明は、添付の図面と併せて読むとより良く理解されるであろう。例示の目的で、本開示のいくつかの実施形態を図面に示す。しかしながら、本発明の概念は、示された正確な実施形態および特徴に限定されないことを理解されたい。本明細書に組み込まれてその一部を構成する添付の図面は、本発明の概念と一致する装置の実装を示し、説明と一緒に、本発明の概念と一致する利点および原理を説明するのに役立つ。
【００２４】
【図１】例示的なシェービングカートリッジの斜視図を示す図である。
【図２】例示的なカスタマイズツールの斜視図を示す図である。
【図３】例示的なシェービングカートリッジの断面図ＩＩＩ-ＩＩＩを示す図である。
【図４】別の例示的なシェービングカートリッジの斜視図を示す図である。
【図５】方向Ｖから見た、図４のシェービングカートリッジの例示的なカスタマイズツールの図である。
【図６】図４の例示的シェービングカートリッジの断面図ＶＩ-ＶＩである。
【図７】別の例示的なシェービングカートリッジの斜視図を示す図である。
【図８】方向ＶＩＩＩから見た、図７のシェービングカートリッジの例示的なカスタマイズツールの図である。
【図９】図７の例示的シェービングカートリッジの断面図ＩＸ-ＩＸである。
【図１０】別の例示的なシェービングカートリッジの斜視図を示す図である。
【図１１】方向ＸＩから見た、図１０のシェービングカートリッジの例示的なカスタマイズツールの図である。
【図１２】図１０の例示的シェービングカートリッジの断面図ＸＩＩ-ＸＩＩである
【発明を実施するための形態】
【００２５】
本発明の概念は、その適用において、構造の詳細および以下の説明に記載されるかまたは図面に示される構成要素の実施形態に限定されないことを理解されたい。図面および記載された説明は、特許保護が求められる発明を製造および使用することを当業者に教示するために提供されている。本発明の概念は他の実施形態が可能であり、様々な方法で実施および実行することができる。当業者であれば、本発明の概念の態様を組み込んだ実際の商業的実施形態の開発には、多数の実施形態、すなわち商業的実施形態に対する開発者の最終目標を達成するための特定の決定が必要となることを理解されよう。これらの努力は複雑で時間がかかる可能性があるが、それにもかかわらず、これらの努力は、本開示の恩恵を受けるという当業者にとっては日常的な仕事であろう。
【００２６】
Ｉ．用語
本明細書で使用されている表現および用語は説明を目的としたものであり、限定と見なされるべきではない。例えば、「ａ」などの単数形の用語の使用は、品目の数を制限することを意図していない。また、これらに限定されないが、「上部」、「底部」、「左」、「右」、「上方」、「下方」、「下」、「上」、および「側」などの関係を示す用語の使用は、図への特定の参照において明確な説明のために使用されており、本発明の概念または添付の特許請求の範囲の範囲を限定することを意図するものではない。さらに、本発明の概念の特徴のうちのいずれか１つを別々にまたは他の特徴と組み合わせて使用することができることを理解されたい。本発明の概念の他のシステム、方法、特徴、および利点は、図面および発明を実施するための形態を検討することで当業者には明らかになり、または明らかになるであろう。そのような追加のシステム、方法、特徴、および利点はすべて、この説明に含まれ、本発明の概念の範囲内にあり、添付の特許請求の範囲によって保護されることを意図している。
【００２７】
さらに、発明を実施するための形態および添付の特許請求の範囲で使用される「実質的に」などの、ただしこれらに限定されない任意の程度の用語は、正確なまたは類似の、しかし正確な構成ではないものを含むと理解されるべきである。例えば、「実質的に平坦な表面」は、正確な平坦な表面または類似の、しかし正確に平坦な表面ではないものを有することを意味する。同様に、発明を実施するための形態および添付の特許請求の範囲で使用される「約」または「およそ」という用語は、列挙された値、または列挙された値の３倍大きい、または３分の１である値を含むと理解されるべきである。  
【００２８】
さらに、本発明の概念は多くの異なる形態の実施形態の影響を受けやすいので、本開示は本発明の概念の原理の一例と見なされるべきであり、本発明の概念を図示され、説明される特定の実施形態に限定することを意図しない。本発明の概念の特徴のうちの任意の１つは、別々にまたは他の任意の特徴と組み合わせて使用され得る。発明を実施するための形態における「実施形態（ｅｍｂｏｄｉｍｅｎｔ）」および／または「実施形態（ｅｍｂｏｄｉｍｅｎｔｓ）」などの用語への言及は、言及されている１つおよび／または複数の特徴が少なくとも発明を実施するための形態の１つの態様に含まれることを意味する。発明を実施するための形態中の「実施形態（ｅｍｂｏｄｉｍｅｎｔ）」および／または「実施形態（ｅｍｂｏｄｉｍｅｎｔｓ）」などの用語への別々の言及は、必ずしも同じ実施形態を指すわけではなく、別段の指示が限りおよび／または発明を実施するための形態から当業者には容易に明らかとなる場合を除き相互排除的でもない。例えば、ある実施形態に記載されている特徴、構成、処理、ステップ、動作などは、他の実施形態にも含まれることがあるが、必ずしも含まれる必要はない。したがって、本発明の概念は、本明細書に記載の実施形態の様々な組み合わせおよび／または統合を含み得る。さらに、本明細書に記載されているように、本開示の全ての態様はその実施が必須ではない。同様に、本発明の概念の他のシステム、方法、特徴、および利点は、図面および発明を実施するための形態を検討することで当業者には明らかになり、または明らかになるであろう。そのような追加のシステム、方法、特徴、および利点はすべて、この発明を実施するための形態に含まれ、本発明の概念の範囲内であり、特許請求の範囲によって包含されることが意図されている。
【００２９】
最後に、本明細書で使用される「または」および「および／または」という用語は、包含的であると解釈されるか、または任意の１つまたは任意の組合せを意味するものと解釈されるべきである。したがって、「Ａ、Ｂ、またはＣ」あるいは「Ａ、Ｂおよび／またはＣ」は、以下のいずれかを意味する。「Ａ」、「Ｂ」、「Ｃ」。「ＡとＢ」、「ＡとＣ」、「ＢとＣ」、「Ａ、Ｂ、およびＣ」。この定義に対する例外は、要素、機能、ステップ、または行為の組み合わせが、ある意味で本質的に相互に排他的である場合にのみ発生する。
【００３０】
ＩＩ．全体的なアーキテクチャ
図１および図３は、例示的なシェービングカートリッジ１００を示す。シェービングカートリッジ１００は、ハンドル（図示せず）と連結することができる。ハンドルは、近位端と遠位端との間でハンドル方向に延びることができる。シェービングカートリッジ１００は、ハンドルの遠位端と連結することができる。少なくとも一例では、シェービングカートリッジ１００は、例えばロックおよび解放機構によって取外し可能にハンドルと連結されてもよい。他の例では、シェービングカートリッジ１００は、ハンドルと固定的に結合されてもよく、その結果、シェービングカートリッジ１００は、ハンドルと取り外し可能に結合され、又はハンドルから選択的に分離されるようには構成されない。シェービングカートリッジ１００は、ハンドルに対して旋回するように動作可能であり得る。他の例では、シェービングカートリッジ１００は、シェービングカートリッジ１００がハンドルに対して旋回するように動作可能ではないように固定関係でハンドルに固定されてもよい。ハンドルは、ユーザがハンドルをしっかりと握ることを可能にするための任意の適切な形状であり得る。本発明の概念の範囲から逸脱することなく、ハンドルは、１つの連続曲線を含むか、またはハンドルの全体またはかなりの部分に沿って延びる１つの直線部分またはいくつかの曲線部分および／または直線部分を含み得る。
【００３１】
シェービングカートリッジ１００は、ハウジング１０１を含む。ハウジング１０１は長手方向軸Ｘ-Ｘに沿って延びる。図示のように、ハウジング１０１は、実質的に長方形の形状を有するが、本発明の概念の範囲から逸脱することなく、卵形または円形などの任意の適切な形状であり得る。シェービングカートリッジ１００およびハウジング１０１は、上側１１０と、上側１１０と反対側の底部側１１２とを含む。底部側１１２はハンドルに近接しており、上側１１０は少なくとも１つの皮膚接触領域を含む。ハウジング１０１は、第１の長手方向壁１０２、第１の側壁１０４および第２の側壁１０６を含む。第１の長手方向壁１０２は、長手方向軸Ｘ−Ｘに沿って上側１１０と底部側１１２との間でハウジング１０１の方向Ｚに延びる。他の例では、第１の長手方向壁１０２は、方向Ｚの軸と角度を成してもよい。ハウジングは、第１の長手方向壁と実質的に平行に延びるように配置された第２の長手方向壁１０３をさらに含んでもよい。第１の側壁１０４および第２の側壁１０６は、ハウジング１０１の方向Ｙに沿って第１の長手方向壁１０２から互いに実質的に平行に延びる。ハウジングが第２の長手方向壁１０３を含む場合、第１および第２の側壁は第１および第２の長手方向壁の間に延びることができる。第１の側壁１０４および第２の側壁１０６もまた、ハウジング１０１の方向Ｚに沿って上側１１０と底部側１１２との間に延びる。第１の側壁１０４および第２の側壁１０６は、ハウジング１０１の方向Ｚに沿って実質的に平行に延在するか、または方向Ｚの軸と角度を成すことができる。ハウジング１０１は、本発明の概念の範囲から逸脱することなく、プラスチック、金属、別の適切な材料、またはそれらの任意の組み合わせでできていてもよい。
【００３２】
シェービングカートリッジ１００はブレード１１６を含む。この例では、シェービングカートリッジは少なくとも１つの構成要素１０９をさらに含むが、図１の例示的なシェービングカートリッジ１００は、ユーザの剃毛経験を助け、それに寄与する複数の構成要素１０９を示す。構成要素１０９のうちの１つは、ハウジング１０１内に配置され保持される複数のブレード１１６である。ブレード１１６は長手方向軸Ｘ−Ｘに沿って延びる。少なくとも一例では、シェービングカートリッジ１００は、本発明の概念の範囲から逸脱することなく、１つ、２つ、３つ、４つ、またはそれ以上のブレード１１６を含むことができる。ブレード１１６は、ハウジング１０１内に移動可能に配置されるかまたは自由に取り付けられてもよい。例えば、ブレード１１６は、ハウジング１０１から延びる弾性手段と連結することができる。他の例では、ブレード１１６はハウジング１０１内に固定的に配置されてもよい。
【００３３】
シェービングカートリッジ１００の構成要素１０９はまた、シェービングカートリッジ１００上に含まれる、かつ／またはその中に保持されるキャップ１１４および潤滑ストリップ１１５を含み得る。キャップ１１４は第１の長手方向壁１０２と結合されている。潤滑ストリップ１１５はキャップ１１４の上側１１０に配置されて、摩擦低減効果、抗刺激効果を提供し、かつ／または剃毛後に潤滑を提供する。潤滑手段１１５は、低摩擦効果を提供する任意の種類のストリップ／部材（例えば、潤滑ストリップ、イージーグライドストリップ、潤滑性組成物を有するコーティング）を含み得る。シェービングカートリッジ１００はまた、ガードバー（図示せず）を含み得る。ガードバーは取り外し可能であり得る。ガードバーはまた、シェービングカートリッジ１００から省略されてもよい。ガードバーは、キャップ１１４の反対側の第２の長手方向壁１０３と結合されて、剃毛中に皮膚を伸ばすか、または皮膚に加えられる力を分配し、それによって剃毛カートリッジ１００をより近くで剃毛しながら皮膚を横切って滑らせる。キャップ１１４、潤滑ストリップ１１５、およびガードバーはそれぞれ、長手方向軸Ｘ-Ｘに沿って延びる。本発明の概念の範囲から逸脱することなく、追加の構成要素、例えばカバーおよび／あるいは１つまたは複数のトリミングブレードをシェービングカートリッジ１００に含めて保持することもできる。
【００３４】
シェービングカートリッジ１００はまた、第１の側壁１０４および第２の側壁１０６の中または上に配置された保持手段１０４０、１０６０を含み得る。構成要素１０９のうちの少なくとも１つは、保持手段１０４０、１０６０によってシェービングカートリッジ１００の中または上に保持される。例えば、保持手段１０４０、１０６０は、ブレード１１６、キャップ１１４、潤滑ストリップ１１５、およびガードバーをシェービングカートリッジ１００の上または中に保持するように動作可能である。保持手段１０４０、１０６０は、（ｉ）構成要素の一部、例えば構成要素１０９のＸ方向に沿った側面または側部、および（ｉｉ）側壁１０４、１０６をしっかりと当接して部分的に覆うことによって構成要素１０９を保持する。保持手段１０４０、１０６０は、本発明の概念の範囲から逸脱することなく、シェービングカートリッジ１００内または上に１つまたは複数の他の構成要素を固定するように動作可能であり得ることが予測される。また、本発明の概念の範囲から逸脱することなく、任意の１つ以上の構成要素１０９を保持手段１０４０、１０６０なしで、例えば他の手段を介してシェービングカートリッジ１００に固定することができることも予想される。適切な保持手段は、米国特許第７６６９３３５号、米国特許第９５３９７３４号、および欧州特許第２８５３３６２号に見いだすことができ、それらの全体は参照により本明細書に組み込まれる。さらに、シェービングカートリッジ１００は、図１〜図１２に示されるように、カスタマイズツール２００を含む。カスタマイズツール２００は、ハウジングと結合されており、第１の長手方向壁１０２の反対側に配置されている。カスタマイズツール２００は、シェービングカートリッジ１００の接触面を、（ｉ）剃毛面の軸と平行な方向、および（ｉｉ）剃毛面の軸と垂直な方向の２方向に拡張させる。ここで、剃毛場所の軸は、剃毛を行うために剃刀を移動させる軸である。例えば、剃毛面の軸は、図１に示す軸Ｙと実質的に平行であり、これは長手方向軸と垂直である。したがって、例えば、カスタマイズツール２００は、軸Ｘおよび軸Ｙによって画定される両方向にシェービングカートリッジ１００の接触面を拡張する。
【００３５】
本明細書で使用される「剃毛面」という用語は、カスタマイズツール２００の上面２０２およびキャップ１１４と交差する接線を意味することを意図している。カスタマイズツール２００は、カスタマイズおよびより良いシェービング体験を提供する。カスタマイズツールの上面２０２は、潤滑部分またはフィンまたはリブなどの様々なカスタマイズソリューションを含み得るので、剃毛面はカスタマイズソリューションに応じて、したがってカスタマイズツールによって定義されることを当業者は理解することができる。
【００３６】
さらに、本明細書で使用される「ブレード露出」という用語は、ブレードの刃先から剃毛面までの垂直距離を意味することを意図している。当業者にとって、ブレード露出は、シェービングカートリッジ１００が安静位にあるときに測定され、通常、ブレードの刃先が剃毛面の上方に配置されている場合にはプラスと考えられ、刃先が剃毛面の下方に位置されている場合にはマイナスと考えられる。ブレード露出は、カスタマイズツール２００の上面２０２に適用されるカスタマイズソリューションに従って定義されることが理解されよう。詳細には、ユーザは、自分の必要性および／または自分の肌のプロフィールに応じて、近さを向上するより積極的な剃毛のためのプラスのブレード露出、またはより切傷が少ない滑らかな剃毛のためのマイナスの露出を達成するために最適なカスタマイズソリューションを選択することができ、望ましいシェービング性能を達成することができる。
【００３７】
カスタマイズツール２００は、従来のシェービングカートリッジではガードバーとなる位置を覆う上面２０２を含む。他の例では、カスタマイズツール２００は、ガードバーの従来の位置を覆うことなく、ガードバーに加えて組み込むことができる。さらに他の例では、ガードバーを覆いながら、ガードバーに加えてカスタマイズツール２００を組み込むことができる。上面２０２は、剃毛面と平行であり、ハウジング１０１の第２の長手方向壁１０３の外側の長手方向軸Ｘ-Ｘに対して垂直に延在する。上面２０２は、任意の形状、例えば線、円弧、またはスプラインであり得る。カスタマイズツール２００はさらに、第１の側壁１０４および第２の側壁１０６の外側端１０８に近接する側面２１２、２１４を有する側面２０６を含む。図１〜図１０の例示的なシェービングカートリッジ１００では、側面２０６は上面２０２に対して垂直であり、ハウジング１０１の第１の長手方向壁１０２ならびに第１の側壁１０４および第２の側壁１０６の外側端１０８の反対側にある。側面は任意の形状、例えば線、円弧、またはスプラインであり得る。図１から図３および図７から図９において、側面２０６／２０６Ｂは上面２０２／２０２Ｂに対して垂直であり、上面２０２／２０２Ｂの幅Ｗｕは、側面２０６／２０６Ｂの幅Ｗｓと同じかそれ以上の大きさであり得る。図４から図６および図１０から図１２では、側面２０６Ａ／２０６Ｃは上面２０２Ａ／２０２Ｃに対して垂直であり、上面２０２Ａ／２０２Ｃの幅Ｗｕは側面２０６Ａ／２０６Ｃの幅Ｗｓよりかなり大きい。他の例では、側面２０６は上面２０２と角度をなしていてもよい。例えば、角度は、約１０°から約１７０°の間、あるいは約３０°から約１５０°の間、具体的には４０°から１２０°であり得る。ハウジングが第２の長手方向壁１０３を含む場合、側面２０６は第２の長手方向壁１０３に近接している。側面２０６は、ハウジングの第１の長手方向壁１０２とは反対側の、ハウジングとカスタマイズツールとのアセンブリの第２の長手方向壁を形成し得る。また、ハウジングの第２の長手方向壁１０３が設けられている場合、カスタマイズツール２００の側面は、ハウジングの第２の長手方向壁１０３を覆っていてもいなくてもよい。その結果、ハウジングとカスタマイズツールとのアセンブリの第２の長手方向壁が、ハウジングの第２の長手方向壁１０３によって、またはカスタマイズツールの側面２０６によって形成されてもよい。剃毛中、カスタマイズツール２００の上面２０２は皮膚を伸ばす。側面２０６は伸長によってさらに寄与し、輪郭形成領域および容易に処理できない領域（例えば、隆起または完全に平坦ではない領域）においてシェービングカートリッジ１００がユーザの皮膚を滑る能力を向上させる。また、引き伸ばされた皮膚は切り傷や刺激効果が少なくなる。カスタマイズツール２００の幅Ｗｔは０．５ｍｍから約３ｍｍの間とすることができる。カスタマイズツール２００の上面２０２の幅Ｗｕは、約３ｍｍから約６ｍｍの間であり得る。カスタマイズツール２００の側面２０６の幅Ｗｓは、約０．５ｍｍから約７ｍｍの間であり得る。カスタマイズツール２００は、少なくともシェービングカートリッジ１００と同じ幅で長手方向��延びることができる。カスタマイズツール２００は、第１の側壁１０４および第２の側壁１０６の両方に及ぶ幅Ｗｔを有することができる。また、カスタマイズツール２００は、皮膚の伸長や滑りの特性を提供する限り、シェービングカートリッジ１００の幅Ｗｃより小さいＷｔを有することも予想される。カスタマイズツールの幅Ｗｔと上面の幅Ｗｕは、シェーバーを移動させて剃毛を行う剃毛面の軸を考慮して測定される。側面の幅Ｗｓは、剃毛面の軸に垂直な軸を考慮して測定される。カスタマイズツール２００の上面の幅Ｗｕは、主にシェービング性能を向上させ、側面が剃刀を皮膚に滑らかに接触させるための支持部として相乗的に機能するため、側面の幅Ｗｓより大きくてもよい。カスタマイズツール２００は、各剃毛ストローク中に、より広い表面にわたってシェービングカートリッジ１００と皮膚および体毛に接触するように、皮膚に大きな設置面積を提供する。したがって、ユーザが必要とするストロークが繰り返されることが少なくなり、剃毛プロセス全体がより簡単かつ迅速になる。
【００３８】
上方曲面２０４は、上面２０２と側面２０６とを接続する。上方曲面２０４は、半径を有する実質的に円形に対応し得る曲率を有し得る。上方曲面２０４の半径は、約０．１ｍｍから約３０ｍｍの間、あるいは約０．１ｍｍから約２０ｍｍの間、具体的には０．１ｍｍから１０ｍｍとすることができる。本発明の概念から逸脱することなく、上方曲面２０４は多角形であり得、滑らかな曲率、または上面２０２を側面２０６に接続するための任意の他の適切な構成を有することができることが予想される。
【００３９】
カスタマイズツール２００はまた、シェービングカートリッジ１００の底部側１１２に近接する下面２１０を有する。下面２１０は平坦で上面２０２と実質的に平行であってもよい。本発明の他の実施形態では、下面２１０は湾曲していてもよく、または任意の他の適切なもしくは所望の形状であってもよい。カスタマイズツール２００はまた、カスタマイズツールがハウジングの底部を囲むときに側面２０６が延びる下面２１０に内面２１３を有する。下方曲面２０８は側面２０６と下面２１０を接続する。下方曲面２０８は、半径を有する実質的に円形に対応し得る曲率を有し得る。下方曲面２０８の半径は、約０．１ｍｍから約３０ｍｍの間、あるいは約０．１ｍｍから約２０ｍｍの間、具体的には０．１ｍｍから１０ｍｍとすることができる。本発明の概念から逸脱することなく、下方曲面２０８は多角形であり得、滑らかな曲率、または下面２１０を側面２０６に接続するための任意の他の適切な構成を有し得ることが予想される。下方曲面２０８および上方曲面２０４は同じ曲率を有してもよい。本発明の他の実施形態では、図３に示すように、下方曲面２０８および上方曲面２０４は、滑走する能力を望み通りに調整することができるように、異なる半径を有する異なる曲率を有することができる。
【００４０】
カスタマイズツール２００の表面、例えば上面２０２、上方曲面２０４、側面２０６、下方曲面２０８、および下面２１０は、突起または指状などの模様がなく均質である。他の例では、カスタマイズツールの表面は、様々な材料で作ることができる構成、例えばリブ、フィン、フィラメント、または突起を有することができる。また、上面２０２の構成は、側面２０６または下面２１０の構成と異なっていてもよい。本発明の少なくとも１つの実施形態では、カスタマイズツール２００は、潤滑部分、例えば潤滑ストリップ、または上面２０２上の同時注入潤滑層を含むことができる。カスタマイズツール２００の少なくとも一部は、金属、プラスチック、およびゴムのうちの少なくとも１つでできている。例えば、カスタマイズツール２００の表面は、金属、プラスチック、ゴム、木材、紙、ガラス、またはそれらの組み合わせを含み得る。さらに、カスタマイズツール２００の表面は、腐食防止効果、潤滑性および滑り効果、抗刺激効果、抗菌効果、または任意の他の所望の特性を含むがこれらに限定されない特性を提供する少なくとも１つのコーティングを含み得る。カスタマイズツール２００はまた、粘土を含むことができ、それは剥離作用または剥離を提供することができる。さらに他の例では、カスタマイズツール２００は、ＴＰＥ材料および水溶性成分を含むことができ、これらは潤滑剤として作用するかまたは体毛−皮膚用製剤の特徴を含む。本発明の少なくとも１つの実施形態では、カスタマイズツール２００の側面２０６は、シェービングエイドを吸収することができる多孔質材料またはスポンジとすることができる。カスタマイズツール２００は、本発明の概念から逸脱することなく、任意の他の所望のまたは適切な材料またはそれらの組み合わせを含み得ることが予測される。一例では、カスタマイズツール２００は、剃毛前に表面が濡れて冷却または温められるように水浴に浸すことができる。上面２０２、上方曲面２０４、側面２０６、下方曲面２０８、および下面２１０を有するカスタマイズツール２００の構成は、前述の任意の材料から作ることができる実質的にＣ字形の構成要素を形成することができる。他の例では、カスタマイズツール２００は、上面２０２のみが設けられて剃毛面の方向にわずかに延在する平坦な構成要素とすることができる。
【００４１】
カスタマイズツール２００は、ユーザがカスタマイズツール２００を容易にまたは便利に取り外すことができないように、シェービングカートリッジ１００と結合され得る。本発明の他の実施形態では、カスタマイズツール２００は、カスタマイズツール２００を取り外して再び取り付けることができるように、シェービングカートリッジ１００と取り外し可能に結合することができる。取り外された場合、ガードバーがシェービングカートリッジ１００に配置されてもよい。別の例では、カスタマイズツール２００が取り外されると、シェービングカートリッジ１００は、カスタマイズツール２００を受け入れるように構成された空の凹部を有することができる。空の凹部は、例えば、シェービングエイド（例えば、フォーム、ゲル）で充填されてもよい。したがって、取り外し可能なカスタマイズツール２００は、ユーザにカスタマイズオプションを提供する。
【００４２】
カスタマイズツール２００は、スナップフィット機構、フック機構、圧入機構、ツイスト機構、ねじ機構、超音波溶着または接着などの任意の他の適切な機構、あるいはそれらの組み合わせのうちの少なくとも１つによってハウジング１０１に連結されている。図２および図３に示すように、カスタマイズツール２００の上面２０２の底部側２０３は、第２の長手方向壁１０３の上側１１０の凹部１０１２と対応する少なくとも１つの突起２０３０を含んで、カスタマイズツール２００をハウジング１０１に結合する。カスタマイズツール２００とハウジング１０１との結合は、カスタマイズツール２００の任意の位置に設けられた突起、および／またはカスタマイズツール２００の対応する凹部を埋めるためにハウジングに設けられた突起を介して達成され得る。少なくとも１つの突起２０３０は、長手方向軸Ｘ-Ｘに沿って延びる。少なくとも１つの突起２０３０はまた、上面２０２の底部側２０３からＺ方向に延在する。さらに、下面２１０の上側２１１は、第２の長手方向壁１０３の底部側１１２の凹部１０１０に対応する２つの突起２１１０を含み、カスタマイズツール２００をハウジング１０１に結合する。本発明の他の実施形態では、カスタマイズツール２００は、必要に応じて、１つ、２つ、または３つより多い突起部２１１０を有することができる。カスタマイズツール２００がシェービングカートリッジ１００のハウジング１０１と結合される限り、少なくとも１つの突起２０３０および少なくとも１つの突起２１１０は本発明の概念から逸脱することなく任意の適切な形状または構成であり得ることが予測される。例えば、ハウジングは、カスタマイズツールの対応する凹部または突起と結合されるべき突起または凹部を有してもよく、その逆も同様である。下面２１０はまた、カスタマイズツールのハウジング１０１への取り付けを改善するための１つまたは複数の切欠き２１１１を含み得る。したがって、シェービングカートリッジ１００に結合されると、上面２０２の底部側２０３はハウジングの上面１１０に近接または当接し、側壁２０６の内側２０７は第１の側壁１０４および第２の側壁１０６の外側端部１０８および／または第２の長手方向壁１０３の外側１１３に近接または当接し、下面２１０の上側２１１は、第２の長手方向壁１０３の底部側１１２に近接または隣接する。
【００４３】
さらなる実施形態では、カスタマイズツールの結合は、カスタマイズツールの上面の底部側に設けられ、カスタマイズツールの少なくとも１つのフックを受けるハウジング上の対応する凹部を介して提供される少なくとも１つのフックを用いて達成され得る。
【００４４】
図４から図６では、カスタマイズツール２００Ａは、カスタマイズツールの底部側に突出するフック２０４０によってハウジング１０１Ａに結合されている。これらのフック２０４０のそれぞれは、剃毛面に対して本質的に垂直に配置されたステム２０４１と、ハウジングの上面から離れてハウジングに形成された保持部１０１４に引っ掛けるためのヘッド２０４２とを含むことができる。１つまたは複数のフック２０４０、例えば、対称に配置された２つのフック、または図示のようにカスタマイズツールの中央横断面に対して対称に配置された２対のフック（断面位置ＶＩ-ＶＩに対応）が設けられてもよい。フックの他の数または配置が提供されてもよい。この例では、フック２０４０のヘッド２０４２は、カスタマイズツールの中央横断面の反対側である外側に向かって横方向に向いている。保持部１０１４は、ハウジングの壁部分に形成された窓または類似のものの縁に、上面から距離を置いて、剃毛面と実質的に平行に形成されてもよい。この例では、これらの保持縁は、長手方向Ｘに対して実質的に垂直にかつ剃毛面と実質的に平行に延びる。上述のように、カスタマイズツール２００Ａの側面２０６Ａは、上面２０２Ａの幅Ｗｕよりも小さい幅Ｗｓを有する。実際、剃毛面に平行な矢印Ｆから見て、側面２０６Ａは、ハウジング１０１Ａの長手方向壁１０３Ａの幅（剃毛面に垂直に測定される）全体を覆わない。しかしながら、他の配置も可能であり、幅Ｗｓはより大きくてもよく、具体的には幅Ｗｕと同じ大きさ以上であってもよく、具体的には長手方向壁１０３Ａの全幅を覆っていてもよい。
【００４５】
図７から図９において、カスタマイズツール２００Ｂは、下面２１０Ｂの延長部として形成された少なくとも一つのフック２０５０年によってハウジング１０１Ｂに連結されている。したがって、図９のように横断面で見ると、このフック２０５０は長手方向壁１０３Ａを取り囲んでいる。この例では、カスタマイズツール２００Ｂの側面２０６Ｂは、少なくともその長さの一部について長手方向壁１０３を覆っている。側壁２０６Ｂの内側２０７Ｂは、長手方向壁１０３Ｂの外側１１３Ｂに近接しているかまたは当接している。側壁２０６Ｂの内側２０７Ｂには、長手方向壁１０３Ｂの外側１１３Ｂと接触する、リブ、類似の突起を含むスペーサ２０７０が設けられてもよい。フック２０５０は、下面２１０Ｂの内側（上向き）に形成された窪み２０５２を介してカスタマイズツール２００Ｂの下面２１０Ｂに接続されている。このくぼみは、カスタマイズツールの底部側１１２Ｂで長手方向壁１０３Ｂのくさび面１０３０に当接するくさび要素として作用する。他のくさび配置が提供されてもよい。くさび面１０３０は、カスタマイズツール２００Ｂの底部側の凸部１１２０の外側に形成されている。フック２０５０は凸部１１２０とのスナップ嵌合を提供する形状を有していてもよい
【００４６】
図１０から図１２では、カスタマイズツール２００Ｃは、カスタマイズツールの底部側に突出する２０６０によってハウジング１０１Ｃと結合されている。これらのフック２０６０のそれぞれは、剃毛面に対して本質的に垂直に配置されたステム２０６１と、ハウジングの上面から離れてハウジングに形成された保持部分１０１５に引っ掛けるためのヘッド２０６２とを含むことができる。１つまたは複数のフック２０６０、例えば対称に配置された２つのフック、または図示のように中央横断面に関して対称に配置された２対のフックを設けることができる。フックの他の数または配置が提供されてもよい。この例では、フック２０６０のヘッド２０６２は、側面２０６Ｃの外側とは反対側、すなわちブレード１１６Ｃが配置されているハウジングの中央部に面している。保持部分１０１５は、ハウジングの壁部分に形成された少なくとも１つの窓または同様のものの端部に、上面から距離をおいて、実質的に剃毛面と平行に形成されてもよい。この例では、これらの保持縁部は、長手方向Ｘと実質的に平行に、かつ剃毛面と実質的に平行に延びている。各フックに窓を設けてもよいが、より少ない窓、例えばフック用の連続的な保持縁を有する１つの窓を設けることも可能である。上述したように、カスタマイズツール２００Ｃの側面２０６Ｃは、上面２０２Ｃの幅Ｗｕよりも小さい幅Ｗｓを有する。実際、剃毛面に平行な矢印Ｆから見て、側面２０６Ｃは、ハウジング１０１Ｃの長手方向の壁１０３Ｃの幅（剃毛面に垂直に測定される）の全体を覆わない。しかしながら、他の配置も可能であり、幅Ｗｓはより大きくてもよく、具体的には幅Ｗｕと同じ大きさ以上であってもよく、具体的には長手方向壁１０３Ｃの全幅を覆っていてもよい。  
【００４７】
その広い発明概念から逸脱することなく、上述の実施形態に変更を加えることができることを当業者は理解するであろう。したがって、本明細書に開示された本発明は、開示された特定の実施形態に限定されず、本発明の精神および範囲内の修正を網羅することを意図していることが理解される。
【図１】
2020511186.tif 000003
【図２】
2020511186.tif 000004
【図３】
2020511186.tif 000005
【図４】
2020511186.tif 000006
【図５】
2020511186.tif 000007
【図６】
2020511186.tif 000008
【図７】
2020511186.tif 000009
【図８】
2020511186.tif 000010
【図９】
2020511186.tif 000011
【図１０】
2020511186.tif 000012
【図１１】
2020511186.tif 000013
【図１２】
2020511186.tif 000014
【国際調査報告】
2020511186.tif 000015
2020511186.tif 000016
2020511186.tif 000017